(57)【要約】【課題】  地震時の外壁面材の割れや脱落等を確実に防止することができる外壁パネルを提供する。【解決手段】  パネルフレーム３がリップ無し溝形材からなっていて、中間辺を挟む一方の辺が外壁面材２の側に沿わされて外壁面材２に取付け金物９で取り付けられ、取付け金物９は、パネルフレーム３の溝内に内嵌め状態に嵌合されるスライド部１２と、該スライド部１２から溝外に突出する取付け部１３とを備え、該取付け部１３が外壁面材２にビス１４でネジ止めされている。ネジ止めは一点であるとよい。また、取付け金物９のスライド部１２はパネルフレーム３の溝内に強制嵌合され、パネルフレーム３の溝内の両側壁とスライド部１２との摩擦力で外壁面材２がパネルフレーム３に保持されているとよい。【選択図】      図１
2005068944.tif 000002
【特許請求の範囲】
【請求項１】
外壁面材の背面側にパネルフレームが備えられた外壁パネルであって、
該パネルフレームは、リップ無し溝形材からなっていて、中間辺を挟む一方の辺が外壁面材の側に沿わされて外壁面材に取付け金物で取り付けられ、
該取付け金物は、パネルフレームの溝内に内嵌め状態に嵌合されるスライド部と、該スライド部から溝外に突出する取付け部とを備え、該取付け部が外壁面材にネジ止めされていることを特徴とするロッキング外壁パネル。
【請求項２】
取付け金物の取付け部と外壁面材とが一点でネジ止めされている請求項１に記載のロッキング外壁パネル。
【請求項３】
取付け金物のスライド部がパネルフレームの溝内に強制嵌合され、パネルフレームの溝内の両側壁とスライド部との摩擦力で外壁面材がパネルフレームに保持されている請求項１又は２に記載のロッキング外壁パネル。
【発明の詳細な説明】
【技術分野】
【０００１】
本発明は、地震時の外壁面材の割れや脱落等を防止するロッキング外壁パネルに関する。
【背景技術】
【０００２】
外壁面材をその背面側のパネルフレームにビスなどで直接止め付ける構造の外壁パネルは従来より提供されているが、そのような構造の場合、大きな地震が起きた時に、地震水平力によるパネルフレームの変形を外壁面材が阻止するように働き、その結果、外壁面材に割れを生じたり、外壁面材が脱落してしまう危険性がある。
【発明の開示】
【発明が解決しようとする課題】
【０００３】
本発明は、上記のような従来の問題点に鑑み、地震時の外壁面材の割れや脱落等を確実に防止することができる外壁パネルを提供することを課題とする。
【課題を解決するための手段】
【０００４】
上記の課題は、外壁面材の背面側にパネルフレームが備えられた外壁パネルであって、
該パネルフレームは、リップ無し溝形材からなっていて、中間辺を挟む一方の辺が外壁面材の側に沿わされて外壁面材に取付け金物で取り付けられ、
該取付け金物は、パネルフレームの溝内に内嵌め状態に嵌合されるスライド部と、該スライド部から溝外に突出する取付け部とを備え、該取付け部が外壁面材にネジ止めされていることを特徴とするロッキング外壁パネルによって解決される。
【０００５】
この外壁パネルでは、地震時の水平力によってパネルフレームと外壁面材とが相対変位しようとすると、取付け金物のスライド部がパネルフレームの溝内を動いて外壁パネルがロッキングし、それにより、取付け金物と外壁面材とのネジ止め部に大きな負荷がかかってしまうのが防がれ、外壁面材の割れや脱落を確実に防止することができる。
【０００６】
更に、パネルフレームはリップ無し溝形材からなっていて、取付け金物のスライド部はパネルフレームの溝内に内嵌め状態に嵌合されているので、取付け金物は、パネルフレームの長手方向にスライドすることできるだけでなく、パネルフレームの溝の内外方向にもスライドすることができて、二次元方向へのスライドが可能であり、取付け金物と外壁面材とのネジ止め部に大きな負荷がかかってしまうのを効果的に防ぐことができる。しかも、それでいて、外壁面材の面外方向への負荷に対しては、取付け金物のスライド部とパネルフレームとの嵌合によってこれにしっかりと耐えることができる。
【０００７】
更に、取付け金物は、そのスライド部をパネルフレームの溝内に内嵌め状態に嵌合してパネルフレームを保持する構成となされているので、パネルフレームがロッキング時に取付け金物によって局部集中的に負荷がかかるのを緩和することができてパネルフレームの損傷を防ぐことができる。
【０００８】
加えて、外壁パネルの製作において、取付け金物は、パネルフレームに対し、その溝内にスライド部を溝開口部を通じて嵌合するだけで取り付けることができ、パネルフレームへの取付け金物の取付けを容易に行うことができる。
【０００９】
取付け金物の取付け部と外壁面材とが一点でネジ止めされている場合は、地震時の水平力のかかり具合や、パネルフレームと取付け金物との力関係によって、取付け金物と外壁面材とに相対回転する方向の負荷がかかったような場合であっても、取付け金物が外壁面材に対して相対回転変位をすることで負荷が逃がされ、取付け金物と外壁面材とのネジ止め部に大きな負荷がかかってしまうのを効果的に防いで、外壁面材の割れや脱落をより一層確実に防止することができる。
【００１０】
取付け金物のスライド部がパネルフレームの溝内に強制嵌合され、フレームの溝内の両側壁とスライド部との摩擦力で外壁面材がパネルフレームに保持されている場合は、地震時以外はこの摩擦力による簡素な構造で外壁面材をしっかりとパネルフレームに保持することができる。
【発明の効果】
【００１１】
本発明は、以上のとおりのものであるから、地震時の外壁面材の割れや脱落等を確実に防止することができる。
【発明を実施するための最良の形態】
【００１２】
次に、本発明の実施最良形態を図面に基づいて説明する。
【００１３】
図１〜図６に示す実施形態の外壁パネル１において、２は窯業系などからなる外壁面材、３はパネルフレームであり、パネルフレーム３は、図５に示すように、左右の縦パネルフレーム材４，５と、上下の横パネルフレーム材６，７とを備え、各パネルフレーム材４，５，６，７はそれぞれ、図１及び図２に示すように、鋼製のリップ無し溝形材からなっていて、溝を内向きとするように、中間辺を挟む一方の辺が下地材８を介して外壁面材２の側に沿わされ、外壁面材２に取付け金物９…で取り付けられている。なお、下地材８は低発泡ポリスチレンなどの樹脂あるいは合板などからなっている。
【００１４】
本実施形態の取付け金物９は、図４（ロ）に示すように、ピース物からなっていて、溝形形状の金物１０の中間辺を挟む一方の辺１０ａの外面側にＺ形形状の金物１１の一方の側１１ａを沿わせ、もう一方の側１１ｂを溝形形状金物１０の外方に突出させるようにして、溝形形状金物１０とＺ形形状金物１１とを溶接などにより接合一体化してつくられたもので、Ｚ形形状金物１１の前記もう一方の側１１ｂを外壁面材２への取付け部１３とし、Ｚ形形状金物１１の前記一方の側１１ａと溝形形状金物１０を含む部分を、パネルフレーム３の溝内に内嵌め状態に嵌合されるスライド部１２としている。
【００１５】
なお、溝形形状金物１０のもう一方の辺１０ｂの先端側には内向きに張り出す開き状の折り返し部１６が備えられ、更にその先端側１７は内向きに曲がっていて、取付け金物９のスライド部１２を撓み弾性作用とガイド作用によって容易にパネルフレーム３の溝内に嵌合することができるようになされている。
【００１６】
パネルフレーム３は、上記の取付け金物９を用いて次のようにして外壁面材２の背面側に取り付けられている。即ち、取付け金物９は、図５に示すように、左右の縦パネルフレーム材４，５のそれぞれにおいて上下方向に複数所定の間隔おきに備えられると共に、上下の横パネルフレーム６，７のそれぞれにおいて左右方向に複数所定の間隔おきに備えられている。
【００１７】
そして、図１及び図２に示すように、取付け金物９は、そのスライド部１２の側がパネルフレーム３の溝内に内嵌め状態に嵌合されると共に、パネルフレーム３の溝外に突出する取付け部１３に外壁面材２がビス１４でネジ止めされている。本実施形態では、外壁面材２を取り付けるビス１４は一つの取付け金物９について１本であり、各取付け金物９が外壁面材２に対して一点でネジ止めされる構成となされている。
【００１８】
また、本実施形態では、取付け金物９のスライド部１２は、パネルフレーム３の溝内にかちこみなどによって強制嵌合され、パネルフレーム３の溝内の両側壁３ａ，３ａとスライド部１２の両側壁１０ｂ，１１ａとの摩擦力で取付け金物９とパネルフレーム３とが結合され、それによって、外壁面材２がパネルフレーム３に保持されるようになされている。
【００１９】
上記の外壁パネル１では、地震時の水平力Ｐによってパネルフレーム３が平行四辺形状にゆがもうとしてパネルフレーム３と外壁面材２とが相対変位しようとすると、取付け金物９のスライド部１２がパネルフレーム３の溝内を動いて外壁面材２がロッキングし、それにより、取付け金物９と外壁面材２とのネジ止め部１４に大きな負荷がかかってしまうのが回避され、外壁面材２の割れや脱落が確実に防止される。
【００２０】
特に、パネルフレーム３はリップ無し溝形材からなっていて、取付け金物９のスライド部１２はパネルフレーム３の溝内に内嵌め状態に嵌合されているので、取付け金物９は、パネルフレーム３を構成する各フレーム材の長手方向にスライドすることできるだけでなく、パネルフレーム材の溝の内外方向にもスライドすることができて、二次元方向へのスライドが可能であり、取付け金物９と外壁面材２とのネジ止め部１４に大きな負荷がかかってしまうのを効果的に防ぐことができる。しかも、それでいて、外壁面材２の面外方向への負荷に対しては、取付け金物９のスライド部１２とパネルフレーム３との嵌合によってこれにしっかりと耐えることができる。
【００２１】
更に、パネルフレーム３はリップ無し溝形材からなっているので、外壁パネル１の製作において、取付け金物９は、パネルフレーム３に対し、その溝内にスライド部１２を溝開口部を通じて嵌合するだけで取り付けることができ、パネルフレーム３への取付け金物の取付けを容易に行うことができる。
【００２２】
しかも、本実施形態では、各取付け金物９の取付け部１３と外壁面材２とがビス１４により一点でネジ止めされているので、地震時の水平力Ｐのかかり具合や、パネルフレーム３と取付け金物９との力関係によって、取付け金物９と外壁面材２とに相対回転する方向の負荷がかかったような場合であっても、取付け金物９が外壁面材２に対して相対回転変位をすることで負荷が逃がされ、取付け金物９と外壁面材２とのネジ止め部１４に大きな負荷がかかってしまうのを効果的に防いで、外壁面材２の割れや脱落をより一層確実に防止することができる。
【００２３】
なお、一部の取付け金物９については、取付け金物９と下地材８とを仮止め状態にするため、図６（ハ）（ニ）（ホ）及び図４（イ）等に示すように、ビス１５が外壁面材２に掛からない態様で下地材と取付け金物９の取付け部１３に打ち込まれているが、これによって、ビス１４による取付け金物９と外壁面材２との一点ネジ止めによる作用が損なわれることはない。
【００２４】
また、本実施形態では、取付け金物９のスライド部１２がパネルフレーム３の溝内に強制嵌合され、フレーム３の溝内の両側壁３ａ，３ａとスライド部１２の両側壁１０ｂ，１１ａとの摩擦力で外壁面材２がパネルフレーム３に結合保持されるようになされているので、地震による大きな水平力が作用した場合には、取付け金物９のスライド部がパネルフレーム３に対してスライドし、その一方で、地震時以外はこの摩擦力による簡素な構造で外壁面材２をしっかりとパネルフレーム３に保持することができる。
【００２５】
以上に、本発明の実施形態を示したが、本発明はこれに限られるものではなく、発明思想を逸脱しない範囲で各種の変更が可能である。例えば、取付け金物の具体的形態に制限はなく、要は、パネルフレーム３の溝内に内嵌め状態に嵌合されるスライド部１２と、該スライド部１２から溝外に突出する取付け部１３とを備えたものであればよい。また、取付け金物のスライド部はパネルフレームの溝内に強制嵌合されていなくともよく、複数の取付け金物の協働作用によってパネルフレームと外壁面材とをロッキング可能に保持する構成となされていてもよい。更に、取付け金物はピース物に限らず、パネルフレームに沿う長尺物であってもよい。
【図面の簡単な説明】
【００２６】
【図１】実施形態を示すもので、図（イ）は図５のＡ部断面図、図（ロ）は図５のＢ部断面図である。
【図２】図（イ）は図５のＣ部断面図、図（ロ）は図５のＤ部断面図である。
【図３】パネルフレーム、取付け金物、下地材及び外壁面材を分離状態にして示す一部断面斜視図である。
【図４】図（イ）は図５のＥ部断面図、図（ロ）は取付け金物の他の斜視図である。
【図５】実施形態の外壁パネルの背面図である。
【図６】図（イ）はＡ部拡大図、図（ロ）はＢ部拡大図、図（ハ）はＣ部拡大図、図（ニ）はＤ部拡大図、図（ホ）はＥ部拡大図である。
【符号の説明】
【００２７】
１…外壁パネル
２…外壁面材
３…パネルフレーム
９…取付け金物
１２…スライド部
１３…取付け部
１４…ビス
【図１】
2005068944.tif 000003
【図２】
2005068944.tif 000004
【図３】
2005068944.tif 000005
【図４】
2005068944.tif 000006
【図５】
2005068944.tif 000007
【図６】
2005068944.tif 000008